【事件の表示】
　平成　９年特許願第２４４９２８号「スロットマシン用単独島」拒絶査定不服審判事件〔平成１１年　３月２３日出願公開、特開平１１−　７６４９６〕について、次のとおり審決する。
【結　論】
　本件審判の請求は、成り立たない。
【理　由】
１，手続きの経緯・本願発明
　本願は、平成９年９月１０日の出願であって、その請求項１に係る発明は、出願当初の明細書及び平成１１年５月１０日付及び平成１３年８月３日付で補正された明細書並びに出願当初の図面の記載からみて、本願の特許請求の範囲の請求項１に記載された次のとおりのものである。
　【請求項１】メダル投入口にメダルを投入した後に絵柄の付いた複数のリールを回転させて当たり絵柄により受け皿にメダルを払出す一つのスロットマシン本体と、
　該一つのスロットマシン本体に付設され貨幣を投入することでメダルをメダル取出し口に排出するメダル貸出機と、
　前記一つのスロットマシン本体に付設され前記メダル投入口に投入されたメダルを該スロットマシン本体及び該メダル貸出機へ供給して前記受け皿へ払出すメダル及び前記メダル取出し口へ排出するメダルとするメダル循環手段とを具備し、
　前記メダル取出し口から排出されたメダルを前記スロットマシン本体の前記メダル投入口に搬送する連結管が該メダル取出し口と該メダル投入口との間に亘って設けられ、
　前記連結管は可撓性を有したフレキシブルチューブからなる
　ことを特徴とするスロットマシン用単独島。（以下「本願発明」という）
　
２，引用刊行物に記載された発明及び本願発明との比較・検討
　これに対して、原査定の拒絶の理由に引用された、特開平８−１４１２０２号公報（以下、「引用刊行物」という）の、　
　【００２６】には、
「【発明の作用効果】本発明の構成においては、個々（単数又は隣り合う複数の遊技台ユニット）が独立の単独設置型の遊技台ユニットとしたため補給樋や回収樋や流送樋の各種樋類を島施工時に設ける必要がなくなる。そのため、ホール設備費を低減させ、ホールスペースを有効に活用することにより一台でも多くの遊技台ユニットを設置することが出来る。・・・」と、
　【００３０】には、
「【実施例】・・・ここでの遊技説明については、パチンコ玉によるパチンコ遊技のものとするがメダルによるパチスロの遊技台ユニットとしてもよい。・・・」と、
　【００３２】には、
「先ず、内部空間の機構においては供給用の上部タンク２４と回収用の下部タンク２３とから成る玉貯留手段を具え、該下部タンク２３から上部タンク２４へ揚送する揚送手段の揚送装置２が立設されている。そして、パチンコ台１１に投入され排出するアウト玉と景品玉計数機３１で計数された後の景品玉は下部タンク２３内に回収され、揚送装置２により揚送し上部タンク２４からパチンコ台１１と玉貸機１８へ補給するようにして遊技台ユニット１内でパチンコ玉を循環還流させている。また、上部タンク２４からパチンコ台１１へは補給玉計数機構３を介し補給通路２５から補給され、また、パチンコ台１１から排出されるアウト玉はアウト玉計数機構３０を介し排出通路２６から下部タンク２３内に回収され、景品玉計数機３１で計数された景品玉も排出通路２６から下部タンク２３内に回収され、下部タンク２３内に貯留しているパチンコ玉は揚送装置２により上部タンク２４へと揚送し以後この循環還流を繰り返している。・・・」と、
　【００３７】には、
「・・・図１又は図６の遊技台ユニット１において、パチンコ台１１の向かって左側に貸玉手段の玉貸機１８が併設されている。該玉貸機１８の前面中央付近に貸玉供給管３２が隣接したパチンコ台１１の玉受皿部３３内に届くように設けられていて、投入口１８ａに投入された貨幣又はカードの正偽信号により直接パチンコ玉が供給されるように成っている。よって、遊技者は貸玉を手を使わずに移し替えられる。・・・そこで、遊技台ユニット１の玉貸機１８の投入口１８ａに貨幣（紙幣か硬貨）又はカードが投入されると、・・・投入金額に応じた貸玉が貸玉供給管３２内を転動して直接玉受皿部３３内へと貸出されていく。」と、
　【００４１】には、
「次に第１プールタンク２９Ａから遊技台ユニット１の玉受皿部３３に供給する還元機能について説明する。この機能はパチンコ台１１の玉受皿部３３内のパチンコ玉が少なくなって補充する際、第１プールタンク２９Ａ内のパチンコ玉を手ではなく自動で持ち上げるようにしたものである。・・・いままでは、遊技者が遊技していくにつれて玉受皿部３３内のパチンコ玉が少なくなると第１プールタンク２９Ａ内に溜めて置いたパチンコ玉を手でいちいち補充していたが、この還元機能により第１プールタンク２９Ａ内に溜めて置いたパチンコ玉は流出口２００ａからスプロケット機構２００を介してリフト３４より持ち上げて玉受皿部３３内に還元されるのである。」と、
　【００４２】には、
「この還元機能は状況に応じて遊技者が操作ボタン２０３を操作（ＯＮ．ＯＦＦボタン）することにより行われる。よって遊技者は第１プールタンク２９Ａ内のパチンコ玉を手で持ち上げて玉受皿部３３に補充する手間がなくなり、遊技者に対して一層サービス向上となる。・・・」と、記載されている。
　　
　したがって、引用刊行物には、以下の発明（以下「引用発明」という）が記載されていると認められる。
　「玉受皿部３３内にパチンコ玉を供給して遊技する単数のパチンコ台１１と、
　該単数のパチンコ台１１に併設され貨幣を投入することで貸玉を貸玉供給管３２内を転動させ玉受皿部３３内へと貸出する玉貸機１８と、
　前記単数のパチンコ台１１に付設され前記パチンコ台１１に投入され排出するアウト玉を揚送装置２により揚送しパチンコ台１１と玉貸機１８へ補給して遊技台ユニット１内でパチンコ玉を循環還流させ、
　前記パチンコ玉を前記パチンコ台１１の玉受皿部３３内に供給する貸玉供給管３２が該玉貸機１８の前面中央付近に玉受皿部３３内に届くように設けられたパチンコ台１１用単独設置型の遊技台ユニット１」
　
　本願発明と引用発明とを比較する。
　引用発明の「パチンコ玉」は、本願発明の「メダル」と、どちらも遊技機の「遊技媒体」である点で一致し、引用発明の「単数のパチンコ台１１」、「パチンコ台１１用単独設置型の遊技台ユニット１」は、本願発明の「一つのスロットマシン本体」、「スロットマシン用単独島」と、どちらも遊技媒体についてのものである点で一致する。
　そして、引用発明の「貸玉供給管３２」は本願発明の「連結管」と比較して、「遊技媒体搬送手段」である点において一致し、また、引用発明の「玉貸機１８」は本願発明の「メダル貸出機」と比較して、ともに「遊技媒体貸出機」である点において一致する。
　さらに、引用発明の「パチンコ台１１に投入され排出するアウト玉を揚送装置２により揚送しパチンコ台１１と玉貸機１８へ補給してパチンコ玉を循環還流」させるという技術的事項は、本願発明の「メダル投入口に投入されたメダルをスロットマシン本体及びメダル貸出機へ供給して受け皿へ払出すメダル及びメダル取出し口へ排出するメダルとするメダル循環手段」という技術的事項と比較して、「遊技媒体循環手段」である点において一致するから、そうすると、両者の一致点及び相違点は次のとおりである。
　
一致点
　遊技媒体を投入して遊戯する一つの遊技機本体と、
　該一つの遊技機本体に付設され貨幣を投入することで遊技媒体を排出する遊技媒体貸出機と、
　前記一つの遊技機本体に付設され前記遊技機本体に投入された遊技媒体を該遊技機本体及び該遊技媒体貸出機へ供給する遊技媒体循環手段とを具備し、
　前記遊技媒体貸出機から排出された遊技媒体を前記遊技機に搬送する遊技媒体搬送手段が設けられた
　遊技機用単独島。
　
相違点
　（Ａ）遊技機本体が、本願発明ではメダル投入口にメダルを投入した後に絵柄の付いた複数のリールを回転させて当たり絵柄により受け皿にメダルを払出す一つのスロットマシン本体であるのに対し、引用発明ではパチンコ台である点
　（Ｂ）遊技媒体貸出機が、本願発明ではメダルを貸し出すものであるのに対し、引用発明では貸玉を貸し出す玉貸機である点
　（Ｃ）遊技媒体循環手段が、本願発明ではメダル投入口に投入されたメダルをスロットマシン本体及びメダル貸出機へ供給して受け皿へ払出すメダル及びメダル取出し口へ排出するメダルとするものであるのに対し、引用発明ではパチンコ台に投入され排出するアウト玉を揚送装置により揚送しパチンコ台と玉貸機へ補給してパチンコ玉を循環還流させるものである点
　（Ｄ）遊技媒体搬送手段が、本願発明では可撓性を有したフレキシブルチューブからなりメダル取出し口とスロットマシン本体のメダル投入口との間に亘って設けられるのに対し、引用発明では、パチンコ玉をパチンコ台の玉受皿部内に供給する貸玉供給管が玉貸機の前面中央付近に玉受皿部内に届くように設けられている点
　
　そこで、上記相違点について検討する。　
　相違点（Ａ）乃至（Ｃ）について
　スロットマシンが「メダル投入口にメダルを投入した後に絵柄の付いた複数のリールを回転させて当たり絵柄により受け皿にメダルを払出す」構成を有することは、通常の事項である。また、メダル貸出機は周知である。
　さらに、スロットマシンが「当たり時には受け皿へメダルを払出す」構成を有することは、通常の事項であり、メダル貸出機が「メダルをメダル取出し口に排出する」構成とすることは、遊技媒体貸出機として通常の構成にすぎない。
　そして、上記のように引用刊行物の【００３０】には、「パチンコ玉によるパチンコ遊技」を「メダルによるパチスロの遊技台ユニット」即ち「メダルによるスロットマシン」とすることが記載されているから、パチンコ玉を循環還流させる引用刊行物記載の技術に基づいて、相違点（Ａ）乃至（Ｃ）の構成に想到することは、当業者が容易になし得ることである。
　相違点（Ｄ）について
　遊技媒体搬送手段が可撓性を有したフレキシブルチューブからなるものは、例えば、実願昭６２−１５０４９１号（実開昭６４−５６２８３号）のマイクロフイルムにおける「可撓性の移送パイプ７」及び実願平１−１０９５４号（実開平２−１０２２８８号）のマイクロフイルムにおける「可撓性を有する球案内管８」のように、それぞれ遊技機の分野においては周知・慣用である。そして、引用刊行物に記載された「パチンコ玉が貸玉供給管３２からパチンコ台１１の玉受皿部３３内に供給」という技術事項は、パチンコ玉が弾球部へ搬送されることであるから、玉受皿部３３が打球動作を行う弾球部への遊技媒体の装填を意味し、スロットマシンにおける「メダル投入口」にメダルを投入することに対応することは当業者にとって自明であるから、引用発明のパチンコ台をスロットマシンに置き換えて「メダルをスロットマシン本体のメダル投入口に搬送」して、相違点（Ｄ）に係る本願発明の構成とすることは、引用刊行物記載の技術及び周知・慣用技術に基づいて当業者が容易になし得ることである。
　
　また、効果の点においても、格別のものは認められない。
　　
３，むすび
　したがって、本願の請求項１に係る発明は、引用刊行物に記載された発明及び周知・慣用技術に基づいて当業者が容易に発明をすることができたものであるから、特許法第２９条第２項の規定により特許を受けることができない。
　よって、結論のとおり審決する。